(57)【要約】【課題】  本発明は深海底混濁流のマルチパラメータ総合モニタリング装置を提供することを課題とする。【解決手段】  本発明は、主にセメント杭間隙水圧モニタリング、濁度光学モニタリング、フロート流速モニタリング、混濁流堆積物サンプリングの４つの部分が含まれており、混濁流の濁度、過剰間隙水圧及び流速などのパラメータの観測が可能であり、その場モニタリングの同時・リアルタイム伝送の実現や、同一観測場所における多項目作業の実現が可能であり、通常作業時に機器が船に伴い移動することでサンプリングと観測位置に相違が生じるのを防げる。【選択図】図１
2020012821.tif 000002
【特許請求の範囲】
【請求項１】
上・下両部分を含み、
前記下部はセメント杭と、前記セメント杭にスリーブを嵌め込み形成した複合式間隙水圧モニタリングプローブロッドを含み、前記セメント杭にはポーラスストーンリングが垂直方向に間隔を空けて挟まれており、前記ポーラスストーンリングの外径は前記セメント杭の外径と同じであり、前記ポーラスストーンリングの内径は前記スリーブの外径と同じであり、前記スリーブ内壁の前記ポーラスストーンリング部分には内部ポーラスストーン及び光ファイバ間隙水圧センサが取り付けられ、前記センサ底部は前記内部ポーラスストーンとつながっており、上部は頂部ポーラスストーンにつながっており、上部海水が前記頂部ポーラスストーンを通って前記プローブロッドの内部に進入し、上部海水の圧力と海底地盤の堆積物の間隙水圧が前記光ファイバ間隙水圧センサに作用し、
前記上部はガラスフードを含み、前記ガラスフード内に円筒孔を有し、前記円筒孔底部は前記スリーブと螺合され、前記円筒孔頂部には前記頂部ポーラスストーンが取り付けられ、前記ガラスフード内には制御回路基板と、スライドレールが取り付けられ、前記スライドレール上には散乱光受信システム及び入射光を放つ赤外線レーザ光源がそれぞれ取付座によって取り付けられ、前記取付座の回転方向及び前記２つの取付座の前記スライドレール上における相対的な距離を調整することで光源の照射及び受信角度を調整し、入射光及び散乱光が互いに交わる位置を濁度モニタリングエリアとし、
前記ガラスフードの四方には混濁流堆積物サンプラーが設置され、サンプラースイッチはケブラーケーブルスプールと接続され、ケブラーケーブルの端部にはフロートが取り付けられ、前記フロートには３軸加速度センサが内蔵されていることを特徴とする、深海底混濁流のマルチパラメータ総合モニタリング装置。
【請求項２】
前記セメント杭には１ｍ間隔で前記ポーラスストーンリングが挟まれていることを特徴とする、請求項１に記載の深海底混濁流のマルチパラメータ総合モニタリング装置。
【請求項３】
前記セメント杭は長さ５ｍ、外径５０ｃｍであり、前記スリーブは長さ５ｍ、直径１５ｃｍ、材質は３１６Ｌ型のステンレス鋼管であることを特徴とする、請求項１又は請求項２に記載の深海底混濁流のマルチパラメータ総合モニタリング装置。
【請求項４】
前記散乱光受信システムには、順に取り付けられる光電センサ、受光板及び光学フィルタを含むことを特徴とする、請求項３に記載の深海底混濁流のマルチパラメータ総合モニタリング装置。
【請求項５】
前記スリーブは３１６Ｌのステンレス鋼管であることを特徴とする、請求項４に記載の深海底混濁流のマルチパラメータ総合モニタリング装置。
【請求項６】
前記ケブラーケーブルの長さは３０ｍであることを特徴とする、請求項５に記載の深海底混濁流のマルチパラメータ総合モニタリング装置。
【発明の詳細な説明】
【技術分野】
【０００１】
本発明は海洋観測技術分野に属し、具体的には深海底混濁流のマルチパラメータ総合モニタリング装置及び使用方法に関するものである。
【背景技術】
【０００２】
深海底における工学・地質学的なその場観測は、海洋科学が深海に進出するうえで重要な手段であり、深海の動力作用下で現代の堆積物が発生する動的応答過程を明らかにし、海洋動力の地質学的過程を深く知るうえで重要な役割を担っている。
【０００３】
海底の混濁流を地球上のもう１つの主な堆積物輸送過程である河川と比較した場合、我々が混濁流について知っていることはまだごく僅かである。混濁流の多くは深海エリアで発生しており、実地観測の研究コストやリスクはいずれも非常に高くなる。混濁流発生の予測不可能性によって長期間の連続観測が求められ、また混濁流の破壊性によって観測機器の多くは故障・紛失してしまう。湖及び海底峡谷における小型の混濁流は流速が遅く、濃度が低いため、比較的容易にその場観測を行えるが、大型の混濁流については、ヴァール峡谷、ザイール扇状地、及び中国台湾南西の峡谷／マニラ海溝の３例しか知られておらず、しかもこれらに関する僅かな資料は主に通信ケーブルの破断順序及びボーリング試料分析を拠り所としている。
【０００４】
混濁流の形成メカニズムの予測不可能性によって、海底混濁流の観測研究は湖底混濁流の観測研究よりも遥かに困難を極める。海底混濁流の実地観測は主に低速混濁流に対するものであり、またこの種の作業は大部分が海底峡谷で行われるため、海底混濁流のモニタリングは主に濁度計、ＡＤＣＰなどの機器に頼っているが、これらの機器には混濁流のうち１つのパラメータの短期モニタリングしか実現できず、海底の長期観測が行えないという明らかな欠点があった。今のところ、混濁流の衝撃を受けても故障しない機器は未だ存在していない。
【０００５】
混濁量は海洋地質学及び堆積学における基礎科学上の多くの問題を解決するカギであり、また海洋資源、エネルギー及び海底の災害対策などへの応用的研究とも密接に関係している。混濁流の予測不可能性及び破壊性ゆえに、混濁流に対し如何に実地でリアルタイム且つ連続的に観測を行うかが、未だに混濁流研究におけるボトルネックとなっている。
【発明の概要】
【発明が解決しようとする課題】
【０００６】
本発明は、深海底混濁流の濁度、流速、密度、海底地盤内の間隙水圧などのマルチパラメータモニタリング及びサンプリングを実現し、混濁流研究に対し重要なデータや堆積物試料を提供するための、深海底混濁流のマルチパラメータ総合モニタリング装置を提供することを目的としている。
【課題を解決するための手段】
【０００７】
本発明は以下の技術案を採用することで実現される。
【０００８】
深海底混濁流のマルチパラメータ総合モニタリング装置は、上・下の両部分を含む。
【０００９】
下部はセメント杭、セメント杭にスリーブを嵌め込み形成した複合式間隙水圧モニタリングプローブロッドを含み、セメント杭にはポーラスストーンリングが垂直方向に間隔を空けて挟まれており、ポーラスストーンリングの外径はセメント杭の外径と同じであり、ポーラスストーンリングの内径はスリーブの外径と同じである。スリーブ内壁のポーラスストーンリング部分には内部ポーラスストーン及び光ファイバ間隙水圧センサが取り付けられ、そのセンサ底部は内部ポーラスストーンとつながっており、上部は頂部ポーラスストーンとつながっており、上部海水が頂部ポーラスストーンを通ってプローブロッドの内部に進入し、上部海水の圧力と海底地盤の堆積物の間隙水圧が光ファイバ間隙水圧センサに作用する。
【００１０】
上部はガラスフードを含み、ガラスフード内に円筒孔を有し、円筒孔底部はスリーブと螺合され、円筒孔頂部には頂部ポーラスストーンが取り付けられ、ガラスフード内には制御回路基板、スライドレールが取り付けられ、スライドレール上には散乱光受信システム及び入射光を放つ赤外線レーザ光源がそれぞれ取付座によって取り付けられ、取付座の回転方向及び２つの取付座のスライドレール上における相対的な距離を調整することで光源の照射及び受信角度を調整し、入射光及び散乱光が互いに交わる位置を濁度モニタリングエリアとする。
【００１１】
ガラスフードの四方には混濁流堆積物サンプラーが設置され、サンプラースイッチはケブラーケーブルスプールと接続され、ケブラーケーブルの端部にはフロートが取り付けられ、フロートには３軸加速度センサが内蔵されている。
【００１２】
さらに、セメント杭には１ｍ間隔でポーラスストーンリングが挟まれている。
【００１３】
さらに、セメント杭は長さ５ｍ、外径５０ｃｍであり、スリーブは長さ５ｍ、直径１５ｃｍ、材質は３１６Ｌ型のステンレス鋼管である。
【００１４】
さらに、散乱光受信システムには、順に取り付けられる光電センサ、受光板及び光学フィルタを含む。
【００１５】
さらに、スリーブは３１６Ｌのステンレス鋼管である。
【００１６】
さらに、ケブラーケーブルの長さは３０ｍである。
【発明の効果】
【００１７】
従来技術と比較し、本発明の優位点及び有利な効果は以下の通りである。
【００１８】
本発明の混濁流モニタリング装置は、主にセメント杭間隙水圧モニタリング、濁度光学モニタリング、フロート流速モニタリング、混濁流堆積物サンプリングの４つの部分が含まれており、その場モニタリングの同時・リアルタイム伝送の実現や、同一観測場所における多項目作業の実現が可能であり、通常作業時に機器が船に伴い移動することでサンプリングと観測位置に相違が生じるのを防げる。
【００１９】
本発明はセメント杭の外装を採用し、高強度の３１６Ｌステンレス鋼管と高強度のガラスフードを組み合せ、またサンプラー、フロート及びケブラーケーブルを組み合わせており、水中で２〜３年の稼働が可能であり、リアルタイム伝送機能を有し、深海の特定エリアにおける濁度、流速、密度、間隙水圧をその場サンプリングするマルチパラメータ・多機能総合観測が実現可能である。また複合式間隙水圧モニタリングプローブロッドを採用し、海底地盤内の間隙水圧の動態モニタリングを実現でき、セメント杭にステンレスのロッド体を加えた２重保護が混濁流の衝撃による破損を防ぐことができ、プローブロッドの安定性が維持され、混濁流による破損を被らずに済む。
【図面の簡単な説明】
【００２０】
【図１】本発明の深海混濁流のマルチパラメータ総合モニタリング装置の構造概略図である。
【図２】本発明の装置のフロート配置図である。
【図３】本発明のフロートが流速に引っ張られて流される概略図である。
【図４】本発明の混濁流の濁度観測の構造概略図である。
【発明を実施するための形態】
【００２１】
混濁流の発生過程における流速と濁度との関係は未だ明らかになっておらず、明確には理解されていない。混濁流で生じた堆積物のサンプリングは、混濁流の発生、通過時の地層情報及び侵食・堆積状況の研究において重要な意義がある。堆積物の過剰間隙水圧は堆積物の安定性を左右する要素であるが、混濁流の発生は必然的に堆積物の過剰間隙水圧に変化を生じさせる。
【００２２】
本発明は、混濁流の発生時にその流速、濁度、堆積物の間隙水圧及び混濁流の堆積物試料をその場で採取し、混濁流の影響下における過剰間隙水圧の変化をその場観測することで、混濁流が地層を破壊するメカニズムに対し一歩進んだ分析を行うことができ、これは海底光ファイバの混濁流による損傷を防ぐための研究において重要な意義がある。
【００２３】
本発明の混濁流モニタリング装置は、主にセメント杭間隙水圧モニタリング、濁度光学モニタリング、フロート流速モニタリング、混濁流堆積物サンプリングの４つの部分が含まれる。装置全体はセメント杭と高強度ガラスフードを組み合せた構造を採用し、セメント杭とスリーブを係合させて複合式過剰間隙水圧モニタリングプローブロッドを形成し、ガラスフードと間隙水圧モニタリングプローブロッドはねじ山で接続し、ガラスフード内には赤外線レーザ光源及び散乱光受信システムを取り付け、ガラスフードのフード体上には混濁流堆積物サンプラーを取り付け、ガラスフードの外部には混濁流流速モニタリングフロートを取り付ける。
【００２４】
以下、図及び具体的な実施例に基づき、本発明についてより詳細に説明する。
【実施例】
【００２５】
図１が示す通り、深海底混濁流のマルチパラメータ総合モニタリング装置は、全体構造が上・下の両部分に分かれている。
【００２６】
下部は長さ５ｍ、直径５０ｃｍのセメント杭１を含み、長さ５ｍ、直径１５ｃｍの３１６Ｌ型ステンレス鋼製スリーブ３を嵌め込んで複合式間隙水圧モニタリングプローブロッドを形成しており、そのうちスリーブは５パートを含み、各パートは１ｍであり、各スリーブの連結箇所にはシールリング８が入れてある。ロッド体にはポーラスストーン７を取り付け、セメント杭１にはポーラスストーンリング１８が垂直方向に１ｍ間隔で挟まれており、ポーラスストーンリング１８の外径はセメント杭１の外径と同じであり、ポーラスストーンリング１８の内径は鋼製スリーブの外径と同じであり、本実施例ではポーラスストーンリング１８の外径は５０ｃｍ、内径は１５ｃｍ、高さは１５ｃｍとして、間隙水だけがセンサの感圧エリアに作用することを確保し、堆積物が進入しないようにしている。
【００２７】
プローブロッド内は圧力勾配式ファイバブラッググレーティング間隙水圧センサ６を内蔵しており、センサ底部は流入路３１を通じてポーラスストーン７とつながっており、ポーラスストーン７が海底地盤の間隙水圧を伝達し、センサ６の頂部は頂部流入路３６を通じて頂部ポーラスストーン３２とつながっており、上部海水が頂部ポーラスストーン３２を通ってプローブロッド内部に進入して海水の静圧力を接続し、上部海水の圧力と海底地盤の堆積物の間隙水圧が圧力勾配式ファイバブラッググレーティング間隙水圧センサ６内の薄膜ひずみゲージ１３に作用し、薄膜ひずみゲージ１３が両者の圧力の差（即ち過剰間隙水圧）を感知し、採集した過剰間隙水圧信号は伝送光ファイバ１９を経由して、防水光コネクタ２０を介してガラスフード内のファイバブラッググレーティング復調器２１に伝達され、復調、採集を経て過剰間隙水圧を取得し、内部のフラッシュメモリチップ３３に記憶される。
【００２８】
図１及び図４を参照して、上部は高強度の透明なガラスフード２であり、ガラスフード２の外径は１５０ｃｍであり、頂部には頂部ポーラスストーン３２を取り付ける。ガラスフード内には制御回路基板、スライドレール２２を取り付け、スライドレール２２上には散乱光受信システム及び入射光を放つ赤外線レーザ光源をそれぞれ取付座２３によって取り付け、赤外線レーザの照射光源及び散乱光受信システムは、取付座上での回転、方向調節が可能であるが、回転調節構造は従来構造であり、ここでは詳述しない。２つの取付座２３のスライドレール２２上における相対的な距離を調整することで光源の照射及び受信角度を調整し、濁度モニタリングエリアの範囲を調整する。取付座２３のスライドレール２２上での移動はサーボモータなどの駆動装置により駆動することができる。レーザ光源にはＬＥＤ赤外線光源２４及び発光管ソケット２５を含み、散乱光受信システムには順に取り付けられる光電センサ１２、光学フィルタ２６、受光板２７を含む。濁度モニタリングエリア１５は入射光と散乱光が交わる６０〜９０度の場所に位置しており、赤外線光源から照射された平行レーザ３４が濁度モニタリングエリア１５を通過し、混濁流を通り抜け、粒子状物質にぶつかると光の伝播方向が変わって散乱が形成され、入射光から６０〜９０度の方向を呈して光学受信システム１０に入り、光の散乱レベルと浮遊物の粒子数は正比例を成しており、この原理によってモニタリングエリアの浮遊物濃度を取得する。受光板２７及び光学フィルタ２６による反射光への制御及び選択的な捕集・透過を経て、光電センサ１２に達し、光電信号の変換が完了して、混濁流濁度の測定が完了となる。
【００２９】
装置中間部の４つの方向にはそれぞれ１つの混濁流堆積物サンプラー４があり、サンプラースイッチ３０ はケブラー同軸ケーブルスプール１７と接続され、ケブラーケーブルスプール１７には予め３０ｍのケブラー同軸ケーブル１６を巻き付けてあり、ケブラー同軸ケーブル１６の端部に１つのフロート５を取り付け、フロート５の下方にはカウンターウェイト３８を吊るし、フロート５とカウンターウェイト３８は上下の浮力のバランスを保持しており、フロート５は３軸加速度センサ２８を内蔵しており、加速度信号がケブラー同軸ケーブル１６を通じて採集システム回路基板２９に伝送され、混濁流の流動の３軸加速度ｘ、ｙ、ｚを取得することができ、３軸加速度は混濁流の運動の動力学的特徴を表すのに最適なパラメータであり、混濁流速度の変化率である。同時に、速度は混濁流がフロートを引っ張って移動する位置変化の変化率である。積分と導関数は真逆の過程であり、混濁流に引っ張られているフロートの３軸加速度をフロートに内蔵された３軸加速度センサによって取得し、フロートの３方向における運動速度及び変位を加速度に対する一重積分及び二重積分によって取得することができる。大型の混濁流が通過し、海水流速が所定値の１０ｍ／ｓ、２０ｍ／ｓ、３０ｍ／ｓ、４０ｍ／ｓに達した場合、混濁流のフロートに対する張力がそれぞれ所定の引張応力に達し、所定引張応力の異なるフロートが重りを引っ張って流動するが、この時に制御回路基板２９がケブラー同軸ケーブル１６のフィードバックを受信して、フロート５が混濁流に引っ張られて移動する加速度の時間曲線の記録を開始し、ケブラー同軸ケーブル１６が全て伸びきった時、ケブラー同軸ケーブル１６が回路基板２９にフィードバックし、加速度の経時変化の電気信号データが保存され、データは防水電気コネクタ３７を介してガラスフード内部のフラッシュメモリチップ３３に伝送され、記憶される。フロート５が海水に引っ張られて流動し出すと、回路基板２９が信号を受信し、サンプラースイッチ３０にサンプラーの採取口を開くよう命令してサンプラースイッチ３０ がオンになり、ケブラー同軸ケーブル１６が全て引っ張られて伸びきった時、回路基板２９が信号を受信し、サンプラースイッチ３０ にサンプラーの採取口１４を閉じるよう命令してサンプラー採取口１４が閉じられる。本装置のフロート加速度モニタリングユニットは、混濁流発生時における３軸加速度の動態データのリアルタイム採集が実現可能であり、混濁流発生時の加速度を採集することができ、フロート５が全て伸びきった後において、フロートが再び引っ張られた後の加速度値によって流速の大きさを判断し、ケブラーケーブル１６と支柱の夾角によって流速の方向を判断することができる。
【００３０】
本発明は混濁流の濁度、過剰間隙水圧及び流速などのパラメータの観測が可能であり、その場モニタリングの同時・リアルタイム伝送の実現や、同一観測場所における多項目作業の実現が可能であり、通常作業時に機器が船に伴い移動することでサンプリングと観測位置に相違が生じるのを防げる。混濁流が装置の配置エリアを通過すると、ガラスフード内の赤外線レーザ光源が赤外線レーザを照射し、ガラスフードと混濁流モニタリングエリアを透過し、散乱光受信システムが受信して、光電センサ経由で光電信号の変換が完了し、濁度の測定を得る。混濁流が海底地盤堆積物に作用すると、海底地盤の侵食・堆積及び海底地盤堆積物の過剰間隙水圧の変化が生じ、海底地盤の間隙水圧がポーラスストーンを通じて圧力勾配式センサの下側に作用し、上を覆う海水圧力がセンサの上側に作用し、薄膜ひずみゲージ１３の上下側で両者の圧力相殺が実現され、過剰間隙水圧の測定が実現する。混濁流発生時において、混濁流の異なる流速に対する流速測定及び対応するサンプリングを行い、同一装置で異なる流速下における混濁流の流速測定及び対応するサンプリングを実現する。混濁流の流速が１０ｍ／ｓ、２０ｍ／ｓ、３０ｍ／ｓ、４０ｍ／ｓを超えると、所定引張応力の異なるケブラーケーブル１６がフロート５に引かれて完全に伸びきり、ケブラーケーブルが引っ張られた瞬間にシステムプログラムが流速変化の採集を開始する。過程中に回路が時間を計算することにより、混濁流の流速が異なる区間における実際の流速を取得し、さらにケブラーケーブルが引かれたと同時にサンプラースイッチ３０に接触し、連動して堆積物サンプラー採取口１４が開き、混濁流堆積物のサンプリングが完了し、サンプリングが完了すると、サンプラースイッチ３０が感知して採取口１４を自動で閉じる。本装置は混濁流通過時の正確なサンプリングを実現することができ、混濁流の発生と同時にサンプラースイッチ３０がオンになることで正確なサンプリングの実現を保証し、採集した試料が混濁流発生時の浮遊堆積物であることを保証することができ、これは混濁流の発生メカニズムの研究にとって極めて重要なことである。
【００３１】
システムが混濁流の試料採集を複数回完了させた後、一定時間の間隔をとって調査船で調査エリアへ向かい、船が搭載する水中音響通信機で信号を送信してシステムの採集状況を確認し、水中音響通信機３５のフィードバック信号により次の判断を行うことができる。水中音響通信からサンプリングシステムが混濁流の試料を収集済みであるというフィードバックがあれば、水中音響信号を送信して上部のガラスフード２の回収を完了させ、下部の複合式間隙水圧プローブロッドを元の場所に留めるどうかを決定することができる。その後、ＲＯＶにより新たなガラスフード２の取り付け・配置を行い、正確に配置を完了させることで、混濁流の継続的モニタリングを実現することができる。
【００３２】
上述は本発明の好ましい実施例に過ぎず、本発明が他の形態を取るのを限定するものではなく、当業者であれば上述で開示した技術内容を利用し、変更又は改造を加えて等価変更した同等の実施例を他の分野に応用することができるが、そのいずれも本発明の技術案の内容を逸脱せず、本発明の技術的本質に基づき上述の実施例に対して行う何らかの簡単な修正、等価変更及び改造はいずれも本発明の技術案の保護範囲に属する。
【符号の説明】
【００３３】
１  セメント杭
２  ガラスフード
２−１  円筒孔
３  スリーブ
４  混濁流堆積物サンプラー
５  フロート
６  圧力勾配式ファイバブラッググレーティング間隙水圧センサ
７  内部ポーラスストーン
８  シールリング
９  赤外線レーザ光源
１０  散乱光受信システム
１１  アナログ回路モジュール
１２  光電センサ
１３  薄膜ひずみゲージ
１４  サンプラー採取口
１５  混濁流モニタリングエリア
１６  ケブラーケーブル
１７  ケブラーケーブルスプール
１８  ポーラスストーンリング
１９  伝送光ファイバ
２０  防水光コネクタ
２１  ファイバブラッググレーティング復調器
２２  スライドレール
２３  取付座
２４  レーザ照射光源
２５  発光管ソケット
２６  光学フィルタ
２７  受光板
２８  ３軸加速度センサ
２９  採集システム回路基板
３０  サンプラースイッチ
３１  流入路
３２  頂部ポーラスストーン
３３  フラッシュメモリチップ
３４  平行レーザ
３５  水中音響通信機
３６  頂部流入路
３７  防水電気コネクタ
３８  カウンターウェイト
【図１】
2020012821.tif 000003
【図２】
2020012821.tif 000004
【図３】
2020012821.tif 000005
【図４】
2020012821.tif 000006
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
上・下両部分を含み、
前記下部はセメント杭と、前記セメント杭にスリーブを嵌め込み形成した複合式間隙水圧モニタリングプローブロッドを含み、前記セメント杭にはポーラスストーンリングが垂直方向に間隔を空けて挟まれており、前記ポーラスストーンリングの外径は前記セメント杭の外径と同じであり、前記ポーラスストーンリングの内径は前記スリーブの外径と同じであり、前記スリーブ内壁の前記ポーラスストーンリング部分には内部ポーラスストーン及び光ファイバ間隙水圧センサが取り付けられ、前記センサ底部は前記内部ポーラスストーンとつながっており、上部は頂部ポーラスストーンにつながっており、上部海水が前記頂部ポーラスストーンを通って前記プローブロッドの内部に進入し、上部海水の圧力と海底地盤の堆積物の間隙水圧が前記光ファイバ間隙水圧センサに作用し、
前記上部はガラスフードを含み、前記ガラスフード内に円筒孔を有し、前記円筒孔底部は前記スリーブと螺合され、前記円筒孔頂部には前記頂部ポーラスストーンが取り付けられ、前記ガラスフード内には制御回路基板と、スライドレールが取り付けられ、前記スライドレール上には散乱光受信システム及び入射光を放つ赤外線レーザ光源がそれぞれ取付座によって取り付けられ、前記取付座の回転方向及び前記２つの取付座の前記スライドレール上における相対的な距離を調整することで光源の照射及び受信角度を調整し、入射光及び散乱光が互いに交わる位置を濁度モニタリングエリアとし、
前記ガラスフードの四方には混濁流堆積物サンプラーが設置され、サンプラースイッチはケブラーケーブルスプールと接続され、ケブラーケーブルの端部にはフロートが取り付けられ、前記フロートには３軸加速度センサが内蔵されていることを特徴とする、深海底混濁流のマルチパラメータ総合モニタリング装置。
【請求項２】
前記セメント杭には１ｍ間隔で前記ポーラスストーンリングが挟まれていることを特徴とする、請求項１に記載の深海底混濁流のマルチパラメータ総合モニタリング装置。
【請求項３】
前記セメント杭は長さ５ｍ、外径５０ｃｍであり、前記スリーブは長さ５ｍ、直径１５ｃｍ、材質は３１６Ｌ型のステンレス鋼管であることを特徴とする、請求項１又は請求項２に記載の深海底混濁流のマルチパラメータ総合モニタリング装置。
【請求項４】
前記散乱光受信システムには、順に取り付けられる光電センサ、受光板及び光学フィルタを含むことを特徴とする、請求項３に記載の深海底混濁流のマルチパラメータ総合モニタリング装置。
【請求項５】
前記ケブラーケーブルの長さは３０ｍであることを特徴とする、請求項４に記載の深海底混濁流のマルチパラメータ総合モニタリング装置。
【外国語明細書】
2020012821000001.pdf